(57)【要約】【課題】洗浄力に優れ、かつ拭き取り性の良好なトイレ用の液体洗浄剤組成物。【解決手段】（Ａ）成分：界面活性剤０．５〜５質量％と、（Ｂ）成分：特定のグリコール系化合物と、（Ｃ）成分：アミノカルボン酸系キレート剤と、（Ｄ）成分：多価カルボン酸系キレート剤と、（Ｅ）成分：水と、を含有し、前記（Ｃ）成分／前記（Ｄ）成分で表される質量比は１．５〜１０であり、前記（Ｃ）成分と前記（Ｄ）成分との合計量が、０．５〜３質量％であることよりなる。【選択図】なし【特許請求の範囲】
【請求項１】
（Ａ）成分：界面活性剤０．５〜５質量％と、
（Ｂ）成分：下記式（ｂ１）で表される化合物と、
（Ｃ）成分：アミノカルボン酸系キレート剤と、
（Ｄ）成分：多価カルボン酸系キレート剤と、
（Ｅ）成分：水と、
を含有し、
前記（Ｃ）成分／前記（Ｄ）成分で表される質量比は１．５〜１０であり、
前記（Ｃ）成分と前記（Ｄ）成分との合計量が、０．５〜３質量％である、トイレ用の液体洗浄剤組成物。
【化１】
2020100774.tif 000011
［式（ｂ１）中、Ｒ１：炭素数２又は３のアルキレン基であり、ｍは（Ｒ１Ｏ）の平均繰り返し数を表す１〜６の数である。］
【請求項２】
前記（Ｂ）成分の含有量が、０．２〜５質量％である、請求項１に記載のトイレ用の液体洗浄剤組成物。
【請求項３】
前記（Ｂ）成分／｛前記（Ｃ）成分＋前記（Ｄ）成分｝で表される質量比が、０．１〜０．８である、請求項１又は２に記載のトイレ用の液体洗浄剤組成物。
【請求項４】
前記（Ａ）成分が、両性界面活性剤を含有する、請求項１〜３のいずれか一項に記載のトイレ用の液体洗浄剤組成物。
【発明の詳細な説明】
【技術分野】
【０００１】
本発明は、トイレ用の液体洗浄剤組成物に関する。
【背景技術】
【０００２】
トイレの便器の洗浄は、トイレ用の液体洗浄剤組成物を洗浄対象に塗布し、次いで、洗浄用ブラシで擦る（擦り洗い）のが一般的である。洗浄対象を洗浄ブラシで擦る際には、前屈したり、中腰となったりするため、手間がかかり、かつ身体的な負担が大きい。
また、便器の縁の裏等は、洗浄ブラシの届きにくい領域であり、洗浄をしにくい。
【０００３】
こうした問題に対し、特定のポリシロキサンと、特定の界面活性剤と、金属キレート剤と、水とを含有する防汚洗浄剤組成物が提案されている（特許文献１）。特許文献１の発明によれば、洗浄力の向上と防汚効果の持続性の向上とが図られている。
【先行技術文献】
【特許文献】
【０００４】
【特許文献１】特開２００４−１６２０４１号公報
【発明の概要】
【発明が解決しようとする課題】
【０００５】
しかしながら、便器の汚れは、蓄積することで強固な尿石汚れの原因となる。このため、トイレ用の液体洗浄剤組成物には、洗浄力の向上が求められている。加えて、洗浄力を高めるために、洗浄成分（界面活性剤、キレート剤等）の含有量を単に高めると、便器以外の洗浄対象（例えば、便座、床等）に対してトイレ用の液体洗浄剤組成物を塗布し、これを拭き取る洗浄方法（拭き取り洗浄）を施した場合に、べた付いたり、ぬる付いたりしやすい（拭き取り性が低い）。
そこで、本発明は、洗浄力に優れ、かつ拭き取り性の良好なトイレ用の液体洗浄剤組成物を目的とする。
【課題を解決するための手段】
【０００６】
本発明は以下の態様を有する。
［１］（Ａ）成分：界面活性剤０．５〜５質量％と、
（Ｂ）成分：下記式（ｂ１）で表される化合物と、
（Ｃ）成分：アミノカルボン酸系キレート剤と、
（Ｄ）成分：多価カルボン酸系キレート剤と、
（Ｅ）成分：水と、
を含有し、
前記（Ｃ）成分／前記（Ｄ）成分で表される質量比は１．５〜１０であり、
前記（Ｃ）成分と前記（Ｄ）成分との合計量が、０．５〜３質量％である、トイレ用の液体洗浄剤組成物。
【化１】
2020100774.tif 000002
［式（ｂ１）中、Ｒ１：炭素数２又は３のアルキレン基であり、ｍは（Ｒ１Ｏ）の平均繰り返し数を表す１〜６の数である。］
［２］前記（Ｂ）成分の含有量が、０．２〜５質量％である、［１］に記載のトイレ用の液体洗浄剤組成物。
［３］前記（Ｂ）成分／｛前記（Ｃ）成分＋前記（Ｄ）成分｝で表される質量比が、０．１〜０．８である、［１］又は［２］に記載のトイレ用の液体洗浄剤組成物。
［４］前記（Ａ）成分が、両性界面活性剤を含有する、［１］〜［３］のいずれか一項に記載のトイレ用の液体洗浄剤組成物。
【０００７】
［５］前記（Ａ）成分は、両性界面活性剤（ａ１）を含有し、前記（ａ１）成分の含有量は、前記（Ａ）成分の総質量に対して、５０質量％以上である、［１］〜［４］のいずれかに記載のトイレ用の液体洗浄剤組成物。
［６］前記（Ａ）成分／前記（Ｂ）成分で表される質量比は、０．２〜１０である、［１］〜［５］のいずれかに記載のトイレ用の液体洗浄剤。
【発明の効果】
【０００８】
本発明の繊維製品用の液体洗浄剤によれば、洗浄力に優れ、かつ拭き取り性を良好にできる。
【発明を実施するための形態】
【０００９】
（トイレ用の液体洗浄剤組成物）
本発明のトイレ用の液体洗浄剤組成物（以下、単に液体洗浄剤組成物ということがある）は、（Ａ）〜（Ｅ）成分を含有する。
【００１０】
＜（Ａ）成分＞
（Ａ）成分は、界面活性剤である。液体洗浄剤組成物は、（Ａ）成分を含有することで、洗浄力を発揮する。
（Ａ）成分としては、液体洗浄剤組成物に通常用いられる界面活性剤であればよく、両性界面活性剤（（ａ１）成分）、アニオン界面活性剤（（ａ２）成分）、ノニオン界面活性剤（（ａ３）成分）、アミンオキシド型界面活性剤（（ａ４）成分）、カチオン界面活性剤等が挙げられる。これらの中でも、（Ａ）成分としては、（ａ１）成分が好ましい。（ａ１）成分を（Ｂ）成分、（Ｃ）成分及び（Ｄ）成分と併用することで、液体洗浄剤組成物を塗布した後に、洗浄対象を擦らなくても優れた洗浄力を発揮できる。加えて、液体洗浄剤組成物は（ａ１）成分を含有することで、拭き取り性が高まる。
【００１１】
（Ａ）成分の含有量は、液体洗浄剤組成物の総質量に対して、０．５〜５質量％であり、０．８〜４質量％が好ましく、１〜２．５質量％がより好ましい。（Ａ）成分の含有量を上記範囲内とすることで、洗浄対象を擦らなくても優れた洗浄力を発揮でき、かつ拭き取り性を高められる。
【００１２】
≪（ａ１）成分≫
（ａ１）成分は両性界面活性剤である。（ａ１）成分としては、特に限定されず、目的に応じて適宜選択することができ、例えば、ベタイン系両性界面活性剤、アミノ酸系両性界面活性剤等が挙げられる。これらの中でも、ベタイン系両性界面活性剤が好ましい。
ベタイン系両性界面活性剤としては、例えば、カルボベタイン系両性界面活性剤、アミドベタイン系両性界面活性剤、スルホベタイン系（ヒドロキシスルホベタイン系、アミドスルホベタイン系）両性界面活性剤、イミダゾリニウムベタイン系両性界面活性剤、ホスホベタイン系両性界面活性剤、アミノプロピオン酸系両性界面活性剤等が挙げられる。カルボベタイン系両性界面活性剤、アミドベタイン系両性界面活性剤が好ましく、アミドベタイン系両性界面活性剤がより好ましい。
【００１３】
（１）カルボベタイン系両性界面活性剤としては、ラウリン酸ジメチルアミノ酢酸ベタイン、ミリスチルジメチルアミノ酢酸ベタイン、ステアリルジメチルアミノ酢酸ベタイン等が挙げられる。
（２）アミドベタイン系両性界面活性剤としては、ヤシ油脂肪酸アミドプロピルベタイン（コカミドプロピルベタイン）、ラウリン酸アミドプロピルベタイン、イソステアラミドプロピルベタイン等が挙げられる。
（３）スルホベタイン系両性界面活性剤としては、例えば、ヤシ油脂肪酸ジメチルアミノヒドロキシスルホベタイン、ラウリルジメチルアミノヒドロキシスルホベタイン、ラウリルヒドロキシスルホベタイン、ヤシ油脂肪酸ジメチルスルホプロピルベタイン、ラウリルスルホベタイン、ステアリルスルホベタイン、ミリスチルスルホベタイン等が挙げられる。
（４）イミダゾリニウムベタイン系両性界面活性剤としては、例えば、ヤシ油アルキル−Ｎ−ヒドロキシエチルイミダゾリニウムベタイン、ヤシ油アルキル−Ｎ−カルボキシエチル−Ｎ−ヒドロキシエチルイミダゾリニウムベタイン、２−アルキル−Ｎ−カルボキシメチル−Ｎ−ヒドロキシエチルイミダゾリニウムベタイン等が挙げられる。
（５）ホスホベタイン系両性界面活性剤としては、例えば、ラウリルヒドロキシホスホベタイン等が挙げられる。
（６）アミノプロピオン酸系両性界面活性剤としては、例えば、ラウリルアミノジプロピオン酸ナトリウム、ラウリルアミノジプロピオン酸トリエタノールアミン等が挙げられる。
（７）アミノ酸系両性界面活性剤としては、ラウリルアミノ脂肪酸塩、ステアリルアミノ脂肪酸塩、ミリスチルアミノ脂肪酸塩等が挙げられる。
【００１４】
（ａ１）成分としては、上述の中でも、ラウリン酸アミドプロピルベタイン、ラウリルジメチルアミノ酢酸ベタイン、ステアリルジメチルアミノ酢酸ベタインが好ましく、拭き取り性の面からラウリン酸アミドプロピルベタイン、ラウリルジメチルアミノ酢酸ベタインが特に好ましい。
前記塩の対イオンとしては、例えば、アルカリ金属塩のイオン、アンモニウム塩のイオン、アルカノールアミン塩のイオン等が挙げられる。これらの中でも、アルカリ金属塩のイオンが好ましく、ナトリウムイオン、カリウムイオンがより好ましい。
【００１５】
（ａ１）成分は、商業的に入手可能である。商業的に入手可能な（ａ１）成分は、例えば、ラウリン酸アミドプロピルベタインである「エナジコールＬ−３０Ｂ（一方社油脂工業（株）製）」、ヤシ油脂肪酸アミドプロピルベタインである「ＣＡＢ−３０（一方社油脂工業（株）製）」、ヤシ油脂肪酸アミドプロピルベタインとして「ＴＥＧＯ  ＢＥＴＡＩＮ  ＣＫ−ＯＫ（デグサ社製）」、パーム核油脂肪酸アミドプロピルベタインである「アンホレックスＰＢ−１（ミヨシ油脂（株）製）」、ラウリルジメチルアミノ酢酸ベタインである「レボンＬＤ−３６（三洋化成工業（株）製）」及び「オバゾリンＬＢ−ＳＦ（東邦化学工業（株）製）」、ステアリルジメチルアミノ酢酸ベタインである花王（株）製「アンヒトール８６Ｂ」がある。
【００１６】
界面活性剤中の両性界面活性剤は５０質量％以上が好ましく、７０質量％以上がより好ましく、１００質量％が特に好ましい。
【００１７】
≪（ａ２）成分≫
（ａ２）成分はアニオン界面活性剤である。（ａ２）成分としては、従来公知のアニオン界面活性剤が使用でき、例えば以下の（１）〜（１１）の界面活性剤が挙げられる。
（１）炭素数８〜１８のアルキル基を有する直鎖又は分岐鎖のアルキルベンゼンスルホン酸塩（ＬＡＳ又はＡＢＳ）。
（２）炭素数１０〜２０のアルカンスルホン酸塩。
（３）炭素数１０〜２０のα−オレフィンスルホン酸塩（ＡＯＳ）。
（４）炭素数１０〜２０のアルキル硫酸塩又はアルケニル硫酸塩（ＡＳ）。
（５）炭素数２〜４のアルキレンオキシドのいずれか、又はエチレンオキシドとプロピレンオキシド（モル比ＥＯ／ＰＯ＝０．１／９．９〜９．９／０．１）を平均０．５〜１０モル付加した炭素数１０〜２０の直鎖又は分岐鎖のアルキル（又はアルケニル）基を有するアルキル（又はアルケニル）エーテル硫酸塩（ＡＥＳ）。
（６）炭素数２〜４のアルキレンオキシドのいずれか、又はエチレンオキシドとプロピレンオキシド（モル比ＥＯ／ＰＯ＝０．１／９．９〜９．９／０．１）を、平均３〜３０モル付加した炭素数１０〜２０の直鎖又は分岐鎖のアルキル（又はアルケニル）基を有するアルキル（又はアルケニル）フェニルエーテル硫酸塩。
（７）炭素数２〜４のアルキレンオキシドのいずれか、又はエチレンオキシドとプロピレンオキシド（モル比ＥＯ／ＰＯ＝０．１／９．９〜９．９／０．１）を、平均０．５〜１０モル付加した炭素数１０〜２０の直鎖又は分岐鎖のアルキル（又はアルケニル）基を有するアルキル（又はアルケニル）エーテルカルボン酸塩。
（８）炭素数１０〜２０のアルキルグリセリルエーテルスルホン酸等のアルキル多価アルコールエーテル硫酸塩。
（９）長鎖モノアルキル、ジアルキル又はセスキアルキルリン酸塩。
（１０）ポリオキシエチレンモノアルキル、ジアルキル又はセスキアルキルリン酸塩。
（１１）炭素数１０〜２０の高級脂肪酸塩（石鹸）。
構成する塩としては、ナトリウム塩、カリウム塩等のアルカリ金属塩；マグネシウム塩、カルシウム塩等のアルカリ土類金属塩；モノエタノールアミン塩（モノエタノールアンモニウム）、ジエタノールアミン塩（ジエタノールアンモニウム）、トリエタノールアミン塩（トリエタノールアンモニウム）等のアルカノールアミン塩；アンモニウム塩等が挙げられ、中でもナトリウム塩、カリウム塩が好ましい。
【００１８】
≪（ａ３）成分≫
（ａ３）成分は、ノニオン界面活性剤である。（ａ３）成分としては、例えば、以下の（１）〜（８）の界面活性剤が挙げられる。
（１）炭素数２〜４のアルキレンオキシドのいずれか、又はエチレンオキシドとプロピレンオキシド（モル比ＥＯ／ＰＯ＝０．１／９．９〜９．９／０．１）を、平均３〜３０モル付加した炭素数１０〜２０の直鎖又は分岐鎖のアルキル（又はアルケニル）基を有するポリオキシアルキレンアルキルエーテル。
（２）炭素数２〜４のアルキレンオキシドのいずれか、又はエチレンオキシドとプロピレンオキシド（モル比ＥＯ／ＰＯ＝０．１／９．９〜９．９／０．１）を、平均３〜３０モル付加した炭素数１０〜２０の直鎖又は分岐鎖のアルキル（又はアルケニル）基を有するポリオキシアルキレンアルキル（又はアルケニル）フェニルエーテル。
（３）炭素数１０〜２０の長鎖脂肪酸の炭素数１〜２アルキルエステルに炭素数２〜４のアルキレンオキシドのいずれか、又はエチレンオキシドとプロピレンオキシド（モル比ＥＯ／ＰＯ＝０．１／９．９〜９．９／０．１）を平均３〜３０モル付加した脂肪酸アルキルエステルアルコキシレート。
（４）炭素数１０〜２０の長鎖脂肪酸のソルビタンエステルに炭素数２〜４のアルキレンオキシドのいずれか、又はエチレンオキシドとプロピレンオキシド（モル比ＥＯ／ＰＯ＝０．１／９．９〜９．９／０．１）を、平均３〜３０モル付加したポリオキシアルキレンソルビタン脂肪酸エステル。
（５）炭素数１０〜２０の長鎖脂肪酸に炭素数２〜４のアルキレンオキシドのいずれか、又はエチレンオキシドとプロピレンオキシド（モル比ＥＯ／ＰＯ＝０．１／９．９〜９．９／０．１）を、平均３〜３０モル付加したポリオキシアルキレン脂肪酸エステル。
（６）硬化ヒマシ油に炭素数２〜４のアルキレンオキシドのいずれか、又はエチレンオキシドとプロピレンオキシド（モル比ＥＯ／ＰＯ＝０．１／９．９〜９．９／０．１）を、平均３〜３０モル付加したもの。
（７）炭素数１０〜２０の長鎖脂肪酸とグリセリンのエステル。
（８）炭素数１０〜２０の直鎖又は分岐鎖のアルキルポリグリコシド。
【００１９】
≪（ａ４）成分≫
（ａ４）成分は、アミンオキシド型界面活性剤（半極性界面活性剤）である。（ａ４）成分としては、例えば、ドデシルジメチルアミンオキシド、ミリスチルジメチルアミンオキシド、ヤシアルキルジメチルアミンオキシド等のアルキルアミンオキシド；ヤシ油脂肪酸アミドプロピルアミンオキシド、ラウリン酸アミドプロピルアミンオキシド等のアミドアミンオキシド等が挙げられる。中でも、ドデシルジメチルアミンオキシド（ＡＸ）が好ましい。
【００２０】
（Ａ）成分は、１種単独でもよいし、２種以上の組み合わせでもよい。
【００２１】
＜（Ｂ）成分＞
（Ｂ）成分は、式（ｂ１）で表される化合物である。（Ｂ）成分は、いわゆるグリコール型溶剤である。
【００２２】
【化２】
2020100774.tif 000003
【００２３】
式（ｂ１）中、Ｒ１は、炭素数２又は３のアルキレン基である。Ｒ１は、エチレン基又はプロピレン基であり、好ましくはエチレンである。即ち、Ｒ１Ｏは、アルキレンオキシ基である。
ｍは（Ｒ１Ｏ）の平均繰り返し数（即ち、エチレンオキシド又はプロピレンオキシドの平均付加モル数）を表す１〜６の数であり、１〜３が好ましく、１がより好ましい。
【００２４】
（Ｂ）成分としては、例えば、モノエチレングリコールモノフェニルエーテル、トリエチレングリコールモノフェニルエーテル、モノプロピレングリコールモノフェニルエーテル、トリプロピレングリコールモノフェニルエーテル等が挙げられる。中でも、洗浄力の面から、（Ｂ）成分としては、モノエチレングリコールモノフェニルエーテルが特に好ましい。
これらの（Ｂ）成分は、１種単独でもよいし、２種以上の組み合わせでもよい。
【００２５】
（Ｂ）成分の含有量は、液体洗浄剤組成物の総質量に対して、０．２〜５質量％が好ましく、０．５〜３質量％がより好ましい。（Ｂ）成分の含有量が上記範囲内であれば、拭き取り性をより高められる。
【００２６】
（Ａ）成分／（Ｂ）成分で表される質量比（Ａ／Ｂ比）は、０．２〜１０が好ましく、０．３〜１０がより好ましく、０．５〜２．５がさらに好ましい。Ａ／Ｂ比が上記下限値以上であれば、拭き取り性をより高められる。Ａ／Ｂ比が上記上限値以下であれば、洗浄力をより高められる。
【００２７】
＜（Ｃ）成分）＞
（Ｃ）成分は、アミノカルボン酸系キレート剤である。（Ｃ）成分は、窒素原子及びカルボキシ基を有するキレート剤である。（Ｃ）成分としては、例えば、ＤＥＧ（ジヒドロキシエチルグリシン：Ｎ−（２−ｈｙｄｒｏｘｙｌｅｔｈｙｌ）ｇｌｙｃｉｎｅ）、ＨＥＩＤＡ（Ｎ−（２−ヒドロキシエチル）イミノ二酢酸：Ｎ−（２−ｈｙｄｒｏｘｙｅｔｈｙｌ）  ｉｍｉｎｏｄｉａｃｅｔｉｃ  ａｃｉｄ）、ＨＥＤＴＡ（ヒドロキシエチルエチレンジアミン四酢酸：Ｎ−（ｈｙｄｒｏｘｙｅｔｈｙｌ）ｅｔｈｙｌｅｎｅｄｉａｍｉｎｅ  ｔｅｔｒａａｃｅｔｉｃ  ａｃｉｄ）、ＮＴＡ（ニトリロ三酢酸：Ｎｉｔｒｉｌｏ  Ｔｒｉａｃｅｔｉｃ  Ａｃｉｄ）、ＤＴＰＡ（ジエチレントリアミン五酢酸：Ｄｉｅｔｈｙｌｅｎｅ  Ｔｒｉａｍｉｎｅ  Ｐｅｎｔａａｃｅｔｉｃ  Ａｃｉｄ）、ＨＥＤＴＡ（ヒドロキシエチルエチレンジアミン三酢酸：Ｈｙｄｒｏｘｙｅｔｈｙｌ  Ｅｔｈｙｌｅｎｅ  Ｄｉａｍｉｎｅ  Ｔｒｉａｃｅｔｉｃ  Ａｃｉｄ）、ＥＤＴＡ（エチレンジアミン四酢酸：Ｅｔｈｙｌｅｎｅ  Ｄｉａｍｉｎｅ  Ｔｅｔｒａａｃｅｔｉｃ  Ａｃｉｄ）、ＭＧＤＡ（メチルグリシン二酢酸：ＭｅｔｈｙｌＧｌｙｃｉｎｅＤｉａｃｅｔｉｃ  Ａｃｉｄ）、ＧＬＤＡ（Ｌグルタミン酸二酢酸：Ｄｉｃａｒｂｏｘｙｍｅｔｈｙｌｅ  Ｇｌｕｔａｍｉｃ  Ａｃｉｄ）、ＡＳＤＡ（アスパラギン酸二酢酸：Ａｓｐａｒｔａｔｅ  Ｄｉａｃｅｔｉｃ  Ａｃｉｄ）、ＥＤＤＳ（エチレンジアミンコハク酸：Ｅｔｈｙｌｅｎｅｄｉａｍｉｎｅ  Ｄｉｓｕｃｃｉｎｉｃ  Ａｃｉｄ）、ＨＩＤＳ（ヒドロキシイミノジコハク酸：Ｈｙｄｒｏｘｙｅ  Ｉｍｉｎｏｄｉｓｕｃｃｉｎｉｃ  Ａｃｉｄ）、ＩＤＳ（イミノジコハク酸：Ｉｍｉｎｏｄｉｓｕｃｃｉｎｉｃ  Ａｃｉｄ）、及び上記化合物の塩（例えば、アルカリ金属塩）や水和物等が挙げられる。中でも、ＭＧＤＡ、ＧＬＤＡ、ＥＤＴＡ及びこれらのアルカリ金属塩が好ましい。これらの（Ｃ）成分であれば、洗浄力をより高められる。
これらの（Ｃ）成分は、１種単独でもよいし、２種以上の組み合わせでもよい。
【００２８】
（Ｃ）成分の含有量は、液体洗浄剤組成物の総質量に対して、０．３〜２．５質量％が好ましく、０．５〜２質量％がより好ましく、０．７〜１．８質量％がさらに好ましい。（Ｃ）成分の含有量が上記下限値以上であれば、洗浄力をより高められる。（Ｃ）成分の含有量が上記上限値以下であれば、拭き取り性をより高められる。
【００２９】
＜（Ｄ）成分＞
（Ｄ）成分は、多価カルボン酸系キレート剤（非窒素含有）である。（Ｄ）成分は、カルボキシ基を有するキレート剤であり、このカルボキシ基は塩を形成していてもよい。（Ｄ）成分は、官能基としてカルボキシ基のみを有してもよく、カルボキシ基以外の官能基を有してもよい。カルボキシキ以外の官能基を有する（Ｄ）成分としては、例えば、ヒドロキシカルボン酸（塩）が挙げられる。
（Ｄ）成分としては、例えば、酢酸、アジピン酸、モノクロル酢酸、シュウ酸、コハク酸、オキシジコハク酸、カルボキシメチルコハク酸、カルボキシメチルオキシコハク酸、グリコール酸、ジグリコール酸、乳酸、酒石酸、カルボキシメチル酒石酸、クエン酸、リンゴ酸、もしくはグルコン酸、またはそれらの塩等が挙げられる。中でも、（Ｄ）成分としては、クエン酸、リンゴ酸、乳酸が特に好ましい。これらの（Ｄ）成分であれば、洗浄力をより高められる。
これらの（Ｄ）成分は、１種単独でもよいし、２種以上の組み合わせでもよい。
【００３０】
（Ｄ）成分の含有量は、液体洗浄剤組成物の総質量に対して、０．１〜０．８質量％が好ましく、０．２〜０．７質量％がより好ましい。（Ｄ）成分の含有量が上記下限値以上であれば、洗浄力をより高められる。（Ｄ）成分の含有量が上記上限値以下であれば、拭き取り性をより高められる。
【００３１】
（Ｃ）成分と（Ｄ）成分との合計量（ＣＤ合計量）は、液体洗浄剤組成物の総質量に対して、０．５〜３質量％であり、０．５〜２．８質量％が好ましく、０．８〜２．５質量％がより好ましい。ＣＤ合計量が上記下限値以上であれば、洗浄力をより高められる。ＣＤ合計量が上記上限値以下であれば、拭き取り性をより高められる。
【００３２】
（Ｃ）成分／（Ｄ）成分で表される質量比（Ｃ／Ｄ比）は、１．５〜１０であり、１．６〜６が好ましく、２〜４がより好ましい。Ｃ／Ｄ比が上記下限値以上であれば、洗浄力をより高められる。Ｃ／Ｄ比が上記上限値以下であれば、洗浄力をより高められる。
【００３３】
（Ｂ）成分／｛（Ｃ）成分＋（Ｄ）成分｝で表される質量比（Ｂ／（Ｃ＋Ｄ）比）は、０．１〜０．８が好ましく、０．４〜０．７がより好ましい。Ｂ／（Ｃ＋Ｄ）比が上記下限値以上であれば、洗浄力及び拭き取り性をより高められる。Ｂ／（Ｃ＋Ｄ）比が上記上限値以下であれば、拭き取り性をより高められる。
【００３４】
＜（Ｅ）成分＞
（Ｅ）成分は、水である。
（Ｅ）成分の含有量は、液体洗浄剤組成物の総質量に対して、８０〜９５質量％が好ましく、８８〜９４質量％がより好ましい。
【００３５】
＜任意成分＞
本発明の液体洗浄剤組成物は、必要に応じて、上記成分以外に、通常、トイレ用の洗浄剤組成物に使用されうる成分を含有することができる。このような任意成分としては、例えば、殺菌剤、防腐剤、抗カビ剤、色素、酸化防止剤、増粘剤、紫外線吸収剤、可溶化剤（ただし、（Ｂ）成分を除く）、香料、ｐＨ調整剤等が挙げられる。
【００３６】
ｐＨ調整剤としては、特に限定されないが、水酸化ナトリウム、水酸化カリウム、炭酸ナトリウム、アンモニア及びその誘導体、モノエタノールアミン、ジエタノールアミン、トリエタノールアミン等から選ばれるアルカリ剤を用いることが好ましく、水酸化ナトリウム、水酸化カリウム、モノエタノールアミン、トリエタノールアミンから選ばれるアルカリ剤を用いることがより好ましく、水酸化カリウムがさらに好ましい。
ｐＨ調整剤は、１種でもよいし、２種以上の組み合わせでもよい。
【００３７】
（製造方法）
液体洗浄剤組成物は、従来公知の製造方法により製造される。例えば、溶媒である（Ｅ）成分に、前記（Ａ）〜（Ｄ）成分を添加し、必要に応じて任意成分を加え、これを混合する方法等が挙げられる。
【００３８】
（使用方法）
液体洗浄剤組成物の使用方法としては、例えば、液体洗浄剤組成物を吐出容器に収容し、この吐出容器から、適量の液体洗浄剤組成物を便器に塗布し、一定時間経過後に、フラッシュ等ですすぐ、「濯ぎ洗い」をする使用方法が挙げられる。
また、他の液体洗浄剤組成物の使用方法としては、適量の液体洗浄剤組成物を便器に塗布し、これを洗浄ブラシで擦る「擦り洗い」をする使用方法が挙げられる。
あるいは、便座やトイレの床に液体洗浄剤組成物を塗布し、これを布や紙で拭き取る「拭き取り洗い」をする使用方法が挙げられる。
【００３９】
液体洗浄剤組成物を収容する吐出容器としては、スプレー容器やスクイズ容器等が挙げられる。中でも、洗浄対象に対する塗布性に優れることから、液体洗浄剤組成物を収容する吐出容器としては、スプレー容器が好ましい。
スプレー容器としては、エアゾールスプレー容器、トリガースプレー容器（直圧型又は蓄圧型）、ディスペンサースプレー容器等が挙げられる。これらの容器は、手動式のものでもよいし、電動式のものでもよい。エアゾールスプレー容器としては、例えば、特開平９−３４４１公報、特開平９−５８７６５号公報等に記載されているものが挙げられる。エアゾールスプレー容器に充填する場合、噴射剤としてＬＰＧ（液化プロパンガス）、ＤＭＥ（ジメチルエーテル）、炭酸ガス、窒素ガス、亜酸化窒素ガス等を使用できる。これら噴射剤は単独で使用してもよく、２種以上を混合して使用してもよい。
トリガースプレー容器の例としては、例えば、特開平９−２６８４７３号公報、特開平１０−７６１９６号公報等に記載のものが挙げられる。
ディスペンサースプレー容器の例としては、例えば、特開平９−２５６２７２号公報等に記載のものが挙げられる。
蓄圧式のトリガースプレー容器としては、例えば、特開２０１３−１５４２７６号公報等に記載のものが挙げられる。
【実施例】
【００４０】
以下、実施例を示して本発明を詳細に説明するが、本発明は以下の記載によって限定されるものではない。
【００４１】
（使用原料）
＜（Ａ）成分：界面活性剤＞
・Ａ−１：ラウリン酸アミドプロピルベタイン、ライオン株式会社製「エナジコールＬ−３０Ｂ」。
・Ａ−２：ラウリルジメチルアミノ酢酸ベタイン、三洋化成工業株式会社製「レボンＬＤ−３６」。
・Ａ−３：ステアリルジメチルアミノ酢酸ベタイン、花王（株）「アンヒトール８６Ｂ」。
・Ａ−４：１２−１６アルキルポリグルコシド（ＡＰＧ）、Ｃｏｇｎｉｓ社製、「ＰＬＡＮＴＡＣＡＲＥ  １２００ｕｐ」）。
・Ａ−５：ポリオキシエチレン（平均５モル）イソステアリルエーテル、エマレックス１８０５（日本エマルジョン株式会社）。
・Ａ−６：ＳＡＳ、第２級アルカンスルホン酸ナトリウム、クラリアントジャパン株式会社製、「ＨＯＳＴＡＰＵＲ  ＳＡＳ  ３０Ａ」、）。
・Ａ−７：ＡＸ、ｎ−ドデシルジメチルアミンオキシド、ライオン・スペシャリティ・ケミカルズ株式会社製、「カデナックスＤＭ１２Ｄ−Ｗ」。
・Ａ−８：塩化ドデシルトリメチルアンモニウム、リポカード１２−３７ｗ（ライオン・スペシャリティ・ケミカルズ株式会社）。
・Ａ−９：塩化ステアリルトリメチルアンモニウム、リポカードＴ−８３３（ライオン・スペシャリティ・ケミカルズ株式会社）。
【００４２】
＜（Ｂ）成分：式（ｂ１）で表される化合物＞
・Ｂ−１：エチレングリコールモノフェニルエーテル（フェノキシエタノール）、日本乳化剤株式会社製、「フェニルグリコール」。
・Ｂ−２：ジエチレングリコールモノフェニルエーテル、日本乳化剤株式会社製、「フェニルグリコール（２モル）」。
・Ｂ−３：ヘキサエチレングリコールモノフェニルエーテル、日本乳化剤株式会社製、「フェニルグリコール（５．５モル）」。
＜（Ｂ’）成分：（Ｂ）成分の比較品＞
・Ｂ’−１：ジエチレングリコールモノブチルエーテル、日本乳化剤株式会社製、「ブチルジグリコール」。
【００４３】
＜（Ｃ）成分：アミノカルボン酸系キレート剤＞
・Ｃ−１：エチレンジアミン四酢酸、アクゾノーベル社製、「ディゾルビンＮＡ２」。
・Ｃ−２：メチルグリシン二酢酸三ナトリウム（ＭＧＤＡのアルカリ金属塩）、ＢＡＳＦ社製、「トリロンＭ」。
・Ｃ−３：グルタミン酸ジ酢酸４ナトリウム（ＧＬＤＡ−Ｎａ）、アクゾノーベル社製。
＜（Ｄ）成分：多価カルボン酸系キレート剤＞
・Ｄ−１：クエン酸、扶桑化学工業株式会社、「精製クエン酸（無水）」。
・Ｄ−２：乳酸、和光純薬工業株式会社製（試薬）。
・Ｄ−３：リンゴ酸、和光純薬工業株式会社製（試薬）。
【００４４】
＜任意成分＞
・ｐＨ調整剤：硫酸（関東化学株式会社）、水酸化カリウム、ＡＧＣ株式会社製「液体苛性カリ」。
・ポリビニルアルコール（ＰＶＡ）：株式会社クラレ製、「ＰＶＡ−２１７」。
・エタノール：日本アルコール販売株式会社製、「合成９５」。
・２−メチル−４−イソチアゾリン−３−オン（ＭＩＴ）：ソー・ジャパン株式会社製、「ＡＣＴＩＣＩＤＥ（登録商標）  Ｍ２０」。
・香料：特開２００３−１８３６９７の香料組成物Ａ。
【００４５】
（評価方法）
＜拭き取り性＞
スライドガラスに各例の液体洗浄剤組成物１００μＬを乗せ、８ツ折にしたトイレットペーパーで軽くひと拭きした。乾燥後、拭き跡の残り具合を下記評価基準に従って、専門パネラが目視及び指で触った触感で評価した。
【００４６】
≪評価基準≫
Ｉ    ：拭き跡が全く残らず、ベタつきも全く感じない。
ＩＩ  ：極わずかに細い線状の拭き跡が残るが、ベタつきもなく気にならない。
ＩＩＩ：わずかに細い線状の拭き跡が残るが、ベタつきは気にならない。
ＩＶ  ：部分的に拭き跡が残り、ベタつきも感じられる。
Ｖ    ：全面に拭き跡が残り、べたつきも感じられる。
【００４７】
＜洗浄力＞
２５ｍｍ×１００ｍｍのＰＰ（ポリプロピレン）板上に、成人男性５名の尿１００μＬを乗せ、室温（２５℃）で２４時間放置し、乾燥させた。乾燥後、５０ｍＬバイアル瓶内で、ＰＰ板を各例の液体洗浄剤組成物２０ｍＬに３０秒間浸漬して取り出した。取り出したＰＰ板を水で２回洗った後、汚れの残り具合を下記評価基準に従って、専門パネラ５名が評価した。専門パネラの評価結果の平均値を求め３〜５点を合格とした。
【００４８】
≪評価基準≫
５点：完全に汚れが落ちている。
４点：ほとんど汚れが落ちている。
３点：半分程度汚れが落ちている。
２点：やや汚れが落ちている。
１点：全く汚れが落ちていない。
【００４９】
（実施例１〜４４、比較例１〜８）
各例の液体洗浄剤組成物５００ｇを下記の手順で調製した。
表１〜７の配合に従い、（Ａ）〜（Ｄ）成分と共通成分とを（Ｅ）成分に混合し、必要に応じ、ｐＨ調整剤（硫酸又は水酸化カリウム）を新たに加えて、ｐＨ７．０として、各例の液体洗浄剤組成物を得た。
表中の配合量は純分換算値である。表中に配合量が記載されていない成分は、配合されていない。表中、（Ｅ）成分の配合量「バランス」は、液体洗浄剤組成物の総量を１００質量％にするのに要した量である。表中、硫酸の配合量「適量」は、液体洗浄剤組成物のｐＨを７．０に調整するのに要した量である。
得られた各例の液体洗浄剤組成物について、拭き取り性及び洗浄力を評価し、その結果を表中に示す。
【００５０】
【表１】
2020100774.tif 000004
【００５１】
【表２】
2020100774.tif 000005
【００５２】
【表３】
2020100774.tif 000006
【００５３】
【表４】
2020100774.tif 000007
【００５４】
【表５】
2020100774.tif 000008
【００５５】
【表６】
2020100774.tif 000009
【００５６】
【表７】
2020100774.tif 000010
【００５７】
表１〜７に示す通り、本発明を適用した実施例１〜４４は、拭き取り性が「Ｉ」〜「ＩＩＩ」であり、洗浄力が「３．０」以上であった。
（Ａ）成分の含有量が０．１０質量％である比較例２、（Ｂ）成分を比較品とした比較例３、Ｃ／Ｄ比が１．２５である比較例４、Ｃ／Ｄ比が１２．３３である比較例６、ＣＤ合計量が０．４２質量％である比較例８は、拭き取り性の評価が「Ｉ」又は「ＩＩ」であったが、洗浄力の評価が１．０〜２．０であった。
（Ａ）成分の含有量が７質量％である比較例１、ＣＤ合計量が３．６である比較例７は、洗浄力の評価が３．０〜４．０であったが、拭き取り性の評価が「ＩＶ」又は「Ｖ」であった。
これらの結果から、本発明を適用した液体洗浄剤組成物は洗浄力と拭き取り性とに優れることを確認できた。